(57)【要約】【課題】映像信号に対して白黒伸長を行う場合の画質を向上させること、特に、非自然画を含む画像を適切に処理することのできる画像処理システム、プロジェクタ、プログラム、情報記憶媒体および白黒伸長処理方法を提供すること。【解決手段】入力映像信号に基づき、画像における所定の輝度区分ごとの画素数の分布を示す輝度ヒストグラムを生成する輝度ヒストグラム生成部１４２と、当該輝度ヒストグラムに基づき、度数が所定値以上の輝度区分数がしきい値を超えるかどうかを判定する輝度分布分析部１４４と、しきい値以下と判定された場合に白黒伸長処理を行い、しきい値を超えると判定された場合に白黒伸長処理を行わない伸長倍率設定部１４６および伸長処理部１４８とを用いて白黒伸長処理を行う。【選択図】　　　　図４
2004101552.tif 000002
【特許請求の範囲】
【請求項１】
映像信号を処理する画像処理システムにおいて、
入力映像信号に基づき、画像における所定の輝度区分ごとの画素数の分布を示す輝度ヒストグラムを生成する輝度ヒストグラム生成手段と、
当該輝度ヒストグラムに基づき、度数が所定値以上の輝度区分数がしきい値を超えるかどうかを判定する輝度分布分析手段と、
しきい値以下と判定された場合に白黒伸長処理を行い、しきい値を超えると判定された場合に白黒伸長処理を行わない白黒伸長処理手段と、
を含むことを特徴とする画像処理システム。
【請求項２】
映像信号を処理する画像処理システムにおいて、
入力映像信号に基づき、画像における所定の色区分ごとの画素数の分布を示す色ヒストグラムを生成する色ヒストグラム生成手段と、
当該色ヒストグラムに基づき、度数が所定値以上の色区分数がしきい値を超えるかどうかを判定する色分布分析手段と、
しきい値以下と判定された場合に白黒伸長処理を行い、しきい値を超えると判定された場合に白黒伸長処理を行わない白黒伸長処理手段と、
を含むことを特徴とする画像処理システム。
【請求項３】
請求項１、２のいずれかに記載の画像処理システムを含むことを特徴とするプロジェクタ。
【請求項４】
コンピュータにより読み取り可能なプログラムであって、
コンピュータを、
入力映像信号に基づき、画像における所定の輝度区分ごとの画素数の分布を示す輝度ヒストグラムを生成する輝度ヒストグラム生成手段と、
当該輝度ヒストグラムに基づき、度数が所定値以上の輝度区分数がしきい値を超えるかどうかを判定する輝度分布分析手段と、
しきい値以下と判定された場合に白黒伸長処理を行い、しきい値を超えると判定された場合に白黒伸長処理を行わない白黒伸長処理手段として機能させることを特徴とするプログラム。
【請求項５】
コンピュータにより読み取り可能なプログラムであって、
コンピュータを、
入力映像信号に基づき、画像における所定の色区分ごとの画素数の分布を示す色ヒストグラムを生成する色ヒストグラム生成手段と、
当該色ヒストグラムに基づき、度数が所定値以上の色区分数がしきい値を超えるかどうかを判定する色分布分析手段と、
しきい値以下と判定された場合に白黒伸長処理を行い、しきい値を超えると判定された場合に白黒伸長処理を行わない白黒伸長処理手段として機能させることを特徴とするプログラム。
【請求項６】
コンピュータにより読み取り可能な情報記憶媒体であって、
請求項４、５のいずれかに記載のプログラムを記憶したことを特徴とする情報記憶媒体。
【請求項７】
入力映像信号に基づき、画像における所定の輝度区分ごとの画素数の分布を示す輝度ヒストグラムを生成し、
当該輝度ヒストグラムに基づき、度数が所定値以上の輝度区分数がしきい値を超えるかどうかを判定し、
しきい値以下と判定された場合に白黒伸長処理を行い、しきい値を超えると判定された場合に白黒伸長処理を行わないことを特徴とする白黒伸長処理方法。
【請求項８】
入力映像信号に基づき、画像における所定の色区分ごとの画素数の分布を示す色ヒストグラムを生成し、
当該色ヒストグラムに基づき、度数が所定値以上の色区分数がしきい値を超えるかどうかを判定し、
しきい値以下と判定された場合に白黒伸長処理を行い、しきい値を超えると判定された場合に白黒伸長処理を行わないことを特徴とする白黒伸長処理方法。
【発明の詳細な説明】
【０００１】
【発明の属する技術分野】
本発明は、映像信号に対して白伸長および黒伸長の少なくとも一方を行う画像処理システム、プロジェクタ、プログラム、情報記憶媒体および白黒伸長処理方法に関する。
【０００２】
【背景技術および発明が解決しようとする課題】
入力映像信号の最黒部分が所定レベルよりも浮いている場合、当該最黒部分が所定レベルになるように黒方向に伸長することが行われている。また、入力映像信号の最白部分が所定レベルよりも沈んでいる場合、当該最白部分が所定レベルになるように白方向に伸長することが行われている。
【０００３】
また、近年の画像表示装置の画像ソースは、従来からの自然画に限らず、コンピュータグラフィックス画像やテキスト画像等の非自然画や自然画と非自然画が混在した画像が増えてきている。
【０００４】
自然画に対してコントラストを向上させるために白黒伸長処理を行うが、非自然画に対して同様の白黒伸長処理を行った場合、疑似輪郭の発生等によって却って画像が劣化する場合がある。
【０００５】
これは、テキスト画像等は、画像を構成する画素の階調が一様であり、白黒伸長処理によってノイズが目立つようになったり、微妙な階調変化が際立ってしまい、それが画像中の広い面積にわたって発生することによる。
【０００６】
このような課題を解決するため、特開２０００−３２２０４７号公報では、輝度分布のダイナミックレンジの範囲における広がり過ぎを防止して、映像の輝度分布の偏り具合に応じて最適な階調補正を行うことを目的とした階調補正装置が提案されている。
【０００７】
当該階調補正装置は、入力輝度信号の輝度レベル各々の頻度データを所定の期間毎に作成して記憶するヒストグラムメモリと、入力輝度信号の輝度分布を所定のダイナミックレンジの範囲に拡大するように複数の輝度レベル毎の補正輝度レベルを前記ヒストグラムメモリの頻度データに基づいて作成して記憶する拡大補正テーブルメモリと、ヒストグラムメモリの頻度データに応じて輝度分布の分散値を算出し、前記分散値に基づいて混合比を設定する手段と、複数の輝度レベル毎にその輝度レベルとそれに対応する拡大補正テーブルメモリの前記補正輝度レベルとを前記混合比にて混合する混合手段と、混合手段によって混合されたレベルを複数の輝度レベル各々に対応するテーブルデータとして記憶するルックアップテーブルメモリと、入力輝度信号の輝度レベルに対応するレベルデータをルックアップテーブルメモリから読み出してそれを階調補正輝度信号として出力する構成である。
【０００８】
また、上記混合手段は、分散値が大きい場合には前記補正輝度レベルの混合割合を小さくする混合比を設定し、前記分散値が小さい場合には補正輝度レベルの混合割合を大きくする混合比を設定するように構成されている。
【０００９】
また、当該公報の明細書の段落番号００２３において、このような構成を採用することにより、分散値が大きい場合にはダイナミックレンジの範囲にほとんど拡大しない輝度信号を出力することができるという作用効果が記載されている。
【００１０】
しかし、分散値は、平均値に基づくデータであるため、例えば、輝度分布において１区分だけ極端に度数が多く、その他の区分の度数が少ない画像の場合、分散値は大きくなり、ダイナミックレンジの範囲にほとんど拡大しない輝度信号を出力することになってしまう。
【００１１】
具体的には、例えば、ほとんどが自然画で一部に単色のテキスト画像を含む画像の場合、自然画のコントラストを強調するため、白黒伸長処理を行ったほうがよいが、上記公報の手法では白黒伸長処理をほとんど行わないことになる。
【００１２】
したがって、自然画とテキスト画像が混在するような画像に対しては、上記公報に記載された階調補正装置は適切な階調補正を行うことができない。
【００１３】
本発明は、上記課題に鑑みなされたものであり、その目的は、映像信号に対して白伸長および黒伸長の少なくとも一方（白黒伸長）を行う場合の画質を向上させること、特に、非自然画を含む画像を適切に処理することのできる画像処理システム、プロジェクタ、プログラム、情報記憶媒体および白黒伸長処理方法を提供することにある。
【００１４】
【課題を解決するための手段】
上記課題を解決するため、本発明に係る画像処理システムは、映像信号を処理する画像処理システムにおいて、
入力映像信号に基づき、画像における所定の輝度区分ごとの画素数の分布を示す輝度ヒストグラムを生成する輝度ヒストグラム生成手段と、
当該輝度ヒストグラムに基づき、度数が所定値以上の輝度区分数がしきい値を超えるかどうかを判定する輝度分布分析手段と、
しきい値以下と判定された場合に白黒伸長処理を行い、しきい値を超えると判定された場合に白黒伸長処理を行わない白黒伸長処理手段と、
を含むことを特徴とする。
【００１５】
また、本発明に係るプロジェクタは、上記画像処理システムを含むことを特徴とする。
【００１６】
また、本発明に係るプログラムは、コンピュータにより読み取り可能なプログラムであって、
コンピュータを、
入力映像信号に基づき、画像における所定の輝度区分ごとの画素数の分布を示す輝度ヒストグラムを生成する輝度ヒストグラム生成手段と、
当該輝度ヒストグラムに基づき、度数が所定値以上の輝度区分数がしきい値を超えるかどうかを判定する輝度分布分析手段と、
しきい値以下と判定された場合に白黒伸長処理を行い、しきい値を超えると判定された場合に白黒伸長処理を行わない白黒伸長処理手段として機能させることを特徴とする。
【００１７】
また、本発明に係る情報記憶媒体は、コンピュータにより読み取り可能な情報記憶媒体であって、
上記プログラムを記憶したことを特徴とする。
【００１８】
また、本発明に係る白黒伸長処理方法は、入力映像信号に基づき、画像における所定の輝度区分ごとの画素数の分布を示す輝度ヒストグラムを生成し、
当該輝度ヒストグラムに基づき、度数が所定値以上の輝度区分数がしきい値を超えるかどうかを判定し、
しきい値以下と判定された場合に白黒伸長処理を行い、しきい値を超えると判定された場合に白黒伸長処理を行わないことを特徴とする。
【００１９】
本発明によれば、画像処理システム等は、輝度ヒストグラムに基づき、度数が所定値以上の輝度区分数がしきい値を超える場合に限って白黒伸長処理を行わないことにより、自然画と非自然画を適切に白黒伸長処理することができる。
【００２０】
また、本発明に係る画像処理システムは、映像信号を処理する画像処理システムにおいて、
入力映像信号に基づき、画像における所定の色区分ごとの画素数の分布を示す色ヒストグラムを生成する色ヒストグラム生成手段と、
当該色ヒストグラムに基づき、度数が所定値以上の色区分数がしきい値を超えるかどうかを判定する色分布分析手段と、
しきい値以下と判定された場合に白黒伸長処理を行い、しきい値を超えると判定された場合に白黒伸長処理を行わない白黒伸長処理手段と、
を含むことを特徴とする。
【００２１】
また、本発明に係るプロジェクタは、上記画像処理システムを含むことを特徴とする。
【００２２】
また、本発明に係るプログラムは、コンピュータにより読み取り可能なプログラムであって、
コンピュータを、
入力映像信号に基づき、画像における所定の色区分ごとの画素数の分布を示す色ヒストグラムを生成する色ヒストグラム生成手段と、
当該色ヒストグラムに基づき、度数が所定値以上の色区分数がしきい値を超えるかどうかを判定する色分布分析手段と、
しきい値以下と判定された場合に白黒伸長処理を行い、しきい値を超えると判定された場合に白黒伸長処理を行わない白黒伸長処理手段として機能させることを特徴とする。
【００２３】
また、本発明に係る情報記憶媒体は、コンピュータにより読み取り可能な情報記憶媒体であって、上記プログラムを記憶したことを特徴とする。
【００２４】
また、本発明に係る白黒伸長処理方法は、入力映像信号に基づき、画像における所定の色区分ごとの画素数の分布を示す色ヒストグラムを生成し、
当該色ヒストグラムに基づき、度数が所定値以上の色区分数がしきい値を超えるかどうかを判定し、
しきい値以下と判定された場合に白黒伸長処理を行い、しきい値を超えると判定された場合に白黒伸長処理を行わないことを特徴とする。
【００２５】
本発明によれば、画像処理システム等は、色ヒストグラムに基づき、度数が所定値以上の色区分数がしきい値を超える場合に限って白黒伸長処理を行わないことにより、自然画と非自然画を適切に白黒伸長処理することができる。
【００２６】
【発明の実施の形態】
以下、本発明を、映像信号の一種であるＲＧＢ信号を入力し、各信号の輝度（「輝度値」または「輝度レベル」ともいう。）の白黒伸長処理を行う画像処理システムに適用した場合を例に採り、図面を参照しつつ説明する。なお、以下に示す実施形態は、特許請求の範囲に記載された発明の内容を何ら限定するものではない。また、以下の実施形態に示す構成の全てが、特許請求の範囲に記載された発明の解決手段として必須であるとは限らない。
【００２７】
（システム全体の説明）
以下、本発明を液晶プロジェクタの画像処理システムに適用した場合を例に採り、説明する。
【００２８】
図１は、本実施形態の一例に係るプロジェクタ２０の概略説明図である。
【００２９】
スクリーン１０のほぼ正面に設けられたプロジェクタ２０は、自然画、非自然画、自然画と非自然画が混在した画像を投写する。
【００３０】
プレゼンター３０は、スクリーン１０上の画像表示領域１２の画像の所望の位置をレーザーポインタ５０から投射したスポット光で指し示しながら、第三者に対するプレゼンテーションを行う。
【００３１】
このようなプレゼンテーション画像等を投写する場合、プロジェクタ２０は、白黒伸長処理を行うことにより、コントラストが強調された画像を投写することができる。
【００３２】
しかし、非自然画のみで構成される画像の場合や、非自然画と自然画が混在した画像の場合に白黒伸長処理を行ってしまうと、投写画像に疑似輪郭が現れてしまう場合がある。
【００３３】
図２は、輝度分布の一例を示す図であり、図２（Ａ）は、輝度分布が連続的である場合の一例を示す図であり、図２（Ｂ）は、輝度分布が狭い場合の一例を示す図である。また、図３は、白黒伸長時の輝度の変化の一例を示す図である。
【００３４】
例えば、図３において、破線が白黒伸長を行わない場合の輝度変換特性を示し、実線が白黒伸長を行った場合の輝度変換特性を示す。
【００３５】
このように、白黒伸長を行うことにより、白側（例えば高輝度側）または黒側（例えば低輝度側）に輝度が伸長され、コントラストが強調された画像を表示することが可能となる。
【００３６】
例えば、自然画の場合、図２（Ａ）に示すように輝度分布が連続的となり、白黒伸長を行っても疑似輪郭は発生せず、適切な画像を表示することができる。
【００３７】
しかし、例えば、非自然画の場合、画像を構成する画素の階調数が少なく同一階調の画素数が多いため、図２（Ｂ）に示すように輝度分布が狭くなり、白黒伸長を行うと疑似輪郭等の発生により、適切な画像を表示することができない。これは、同一階調の画素が多い画像中の、画像上に階調が一様である領域が、白黒伸長処理によってノイズが目立つようになったり、微妙な階調変化が際立ってしまい、それが画像中の広い面積にわたって発生することによる。
【００３８】
本実施の形態では、画像を構成する画素の階調数が少ないことを、輝度ヒストグラムに基づき、度数が所定値以上の輝度区分数がしきい値を超えることによって判定し、この場合に白黒伸長処理を行わないようにプロジェクタ２０を構成している。
【００３９】
次に、このような機能を実現するためのプロジェクタ２０の画像処理部の機能ブロックについて説明する。
【００４０】
図４は、本実施形態の一例に係る画像処理部の機能ブロック図である。
【００４１】
プロジェクタ２０内の画像処理部は、入力映像信号であるＲＧＢ信号をＹＵＶ信号に変換するＲＧＢ−ＹＵＶ変換部１１０と、ＹＵＶ信号を補正する補正部１２０と、補正されたＹ’Ｕ’Ｖ’信号をＲ’Ｇ’Ｂ’信号に変換するＹＵＶ−ＲＧＢ変換部１３０と、Ｒ’Ｇ’Ｂ’信号に基づき、画像を投写する画像投写部１９０とを含んで構成されている。
【００４２】
また、補正部１２０は、白黒伸長処理部１４０を含んで構成されている。より具体的には、白黒伸長処理部１４０は、Ｙ信号（輝度信号）に基づき、画像における所定の輝度区分ごとの画素数の分布を示す輝度ヒストグラムを生成する輝度ヒストグラム生成部１４２と、当該輝度ヒストグラムに基づき、度数が所定値以上の輝度区分数がしきい値を超えるかどうかを判定する輝度分布分析部１４４と、しきい値以下と判定された場合に白黒伸長処理を行い、しきい値を超えると判定された場合に白黒伸長処理を行わない白黒伸長処理手段として機能する伸長倍率設定部１４６および伸長処理部１４８とを含んで構成されている。
【００４３】
また、画像投写部１９０は、空間光変調器１９２と、Ｒ’Ｇ’Ｂ’信号に基づき、空間光変調器１９２を駆動する駆動部１９４と、空間光変調器１９２に光を出力する光源１９６と、空間光変調器１９２で変調された光を投写するレンズ１９８とを含んで構成されている。
【００４４】
このようにしてプロジェクタ２０は、白黒伸長処理を行って画像を投写する。
【００４５】
以下、本願の特徴的な構成である白黒伸長処理部１４０に含まれる各部を用いた白黒伸長処理の流れについて説明する。
【００４６】
図５は、本実施形態の一例に係る白黒伸長処理のフローチャートである。
【００４７】
輝度ヒストグラム生成部１４２は、Ｙ信号に基づき、輝度ヒストグラムを生成する（ステップＳ１）。
【００４８】
そして、輝度分布分析部１４４は、輝度ヒストグラムに基づき、所定の輝度区分（例えば、３２階調の場合３２区分）における度数が第１の所定値以上の区分数が第２の所定値以上かどうかを判定する（ステップＳ２）。
【００４９】
ここで、第１の所定値としては、例えば０．１２５Ｓ等が該当し、第２の所定値としては、例えば４等が該当する。ここでＳとは、表示画像の総画素数である。０．１２５ＳつまりＳの０．１２５倍とは、３２階調の２５％である８階調に輝度分布が集中した時の、１輝度区分当りの平均度数に相当する。また、４とは、階調数８の５０％に相当する。なお、これらの数値は、あくまでも、第１の所定値および第２の所定値の一例である。
【００５０】
所定の輝度区分における度数が第１の所定値以上の区分数が第２の所定値以上の場合、伸長倍率設定部１４６は、通常とは異なる白黒伸長効果のない伸長倍率（例えば１倍）に設定を変更する（ステップＳ３）。
【００５１】
また、所定の輝度区分における度数が第１の所定値以上の区分数が第２の所定値以上ではない場合、伸長倍率設定部１４６は、通常の白黒伸長効果のある伸長倍率に設定を変更する（ステップＳ４）。
【００５２】
そして、伸長処理部１４８は、伸長倍率設定部１４６によって設定された伸長倍率に基づき、白黒伸長処理を行う（ステップＳ５）。
【００５３】
これにより、例えば、白黒伸長効果のない伸長倍率の場合（ステップＳ３）、図３の破線に示すように白黒伸長効果のない、すなわち、白黒伸長を行わない輝度変換特性となり、白黒伸長効果のある伸長倍率の場合（ステップＳ４）、図３の実線に示すように白黒伸長効果のある輝度変換特性となる。
【００５４】
なお、上述した画像処理システムの各部の機能を実現するためのハードウェアとしては、例えば以下のものを適用できる。
【００５５】
図６は、本実施形態の一例に係るプロジェクタ２０のハードウェアブロック図である。
【００５６】
例えば、ＲＧＢ−ＹＵＶ変換部１１０、ＹＵＶ−ＲＧＢ変換部１３０としては、例えば画像処理回路９７０等、輝度ヒストグラム生成部１４２としては、例えばＲＡＭ９５０、画像処理回路９７０等、輝度分布分析部１４４、伸長倍率設定部１４６、伸長処理部１４８としては、例えばＣＰＵ９１０とＲＯＭ９６０等、空間光変調器１９２としては、例えば液晶パネル９２０等を用いて実現できる。
【００５７】
なお、これらの各部はシステムバス９８０を介して相互に情報をやりとりすることが可能である。
【００５８】
また、これらの各部は回路のようにハードウェア的に実現してもよいし、ドライバのようにソフトウェア的に実現してもよい。
【００５９】
さらに、白黒伸長処理部１４０としてコンピュータを機能させるためのプログラムを記憶した情報記憶媒体９００からプログラムを読み取って白黒伸長処理部１４０の機能をコンピュータに実現させてもよい。
【００６０】
このような情報記憶媒体９００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００６１】
また、情報記憶媒体９００に代えて、上述した各機能を実現するためのプログラム等を、伝送路を介してホスト装置等からダウンロードすることによって上述した各機能を実現することも可能である。
【００６２】
以上のように、本実施の形態によれば、本実施形態の画像処理システムは、輝度ヒストグラムに基づき、度数が所定値以上の輝度区分数がしきい値を超える場合に限って白黒伸長処理を行わないことにより、自然画と非自然画を適切に白黒伸長処理することができる。
【００６３】
特に、本実施形態の画像処理システムは、分散値に基づいて判定するのではなく、度数が所定値以上の輝度区分数がしきい値を超えるかどうかを判定している。
【００６４】
これにより、本実施形態の画像処理システムは、度数が所定値以上の輝度区分数が極端に少ない場合には白黒伸長処理を行うことにより、例えば、自然画の一部にテキスト文字が描かれている場合には、白黒伸長処理を行うことにより、自然画のコントラストを強調することができる。
【００６５】
また、本実施形態の画像処理システムは、度数が所定値以上の輝度区分数が極端に少なくない場合に白黒伸長処理を行わないことにより、自然画と非自然画が混在し、非自然画の割合が多い場合には白黒伸長処理を行わない。
【００６６】
以上のように、本実施形態の画像処理システムは、自然画と非自然画の混在する割合を考慮して適切な白黒伸長処理を行うことができる。
【００６７】
（変形例）
以上、本発明を適用した好適な実施の形態について説明してきたが、本発明の適用は上述した実施例に限定されない。
【００６８】
例えば、度数が所定値以上の輝度区分数がしきい値を超える場合としては、図２（Ｂ）に示す輝度分布が所定の輝度範囲に集中している場合だけでなく、輝度分布が離散的になっている場合も該当する。このような場合であっても、画像処理システムは、白黒伸長処理を行わないように処理することが可能である。
【００６９】
また、画像処理システムは、輝度に代えて色を判定基準として用いてもよい。具体的には、画像処理システムを、色ヒストグラムに基づき、度数が所定値以上の色区分数がしきい値を超える場合に限って白黒伸長処理を行わないように構成してもよい。
【００７０】
画像処理システムは、色を判定基準として用いた場合であっても、非自然画と自然画が混在する場合等において、適切に白黒伸長処理を行うことが可能である。
【００７１】
また、上述した白黒伸長処理部１４０の機能を複数の装置に分散して白黒伸長処理を行ってもよい。
【００７２】
また、上述した白黒伸長処理を実行する画像処理システムは、プロジェクタ２０のような液晶プロジェクタに限定されず、例えば、ＤＭＤ（Ｄｉｇｉｔａｌ　Ｍｉｃｒｏｍｉｒｒｏｒ　Ｄｅｖｉｃｅ）を用いたプロジェクタ、ＣＲＴ（Ｃａｔｈｏｄｅ　Ｒａｙ　Ｔｕｂｅ）、ＰＤＰ（Ｐｌａｓｍａ　Ｄｉｓｐｌａｙ　Ｐａｎｅｌ）、ＦＥＤ（Ｆｉｅｌｄ　Ｅｍｉｓｓｉｏｎ　Ｄｉｓｐｌａｙ）、ＥＬ（Ｅｌｅｃｔｒｏ　Ｌｕｍｉｎｅｓｃｅｎｃｅ）、直視型液晶表示装置等の種々の表示装置に実装してもよい。なお、ＤＭＤは米国テキサスインスツルメンツ社の商標である。
【図面の簡単な説明】
【図１】本実施形態の一例に係るプロジェクタの概略説明図である。
【図２】輝度分布の一例を示す図であり、図２（Ａ）は、輝度分布が連続的である場合の一例を示す図であり、図２（Ｂ）は、輝度分布が狭い場合の一例を示す図である。
【図３】白黒伸長時の輝度の変化の一例を示す図である。
【図４】本実施形態の一例に係る画像処理部の機能ブロック図である。
【図５】本実施形態の一例に係る白黒伸長処理のフローチャートである。
【図６】本実施形態の一例に係るプロジェクタのハードウェアブロック図である。
【符号の説明】
１４２　輝度ヒストグラム生成部、　１４４　輝度分布分析部
１４６　伸長倍率設定部（白黒伸長処理手段）
１４８　伸長処理部（白黒伸長処理手段）、　９００　情報記憶媒体
【図１】
2004101552.tif 000003
【図２】
2004101552.tif 000004
【図３】
2004101552.tif 000005
【図４】
2004101552.tif 000006
【図５】
2004101552.tif 000007
【図６】
2004101552.tif 000008